(57)【要約】【課題】  放熱を伴う電子デバイスを一切用いずに様々な映像を素早く切り替えてグラス内に投影出来る飲料用演出グラスを提供することを課題とする。【解決手段】  飲料用演出グラス１は、上部開口１１を有する有底の筒状体であるグラス本体１０と、グラス本体の側面にカード８０を固定するための固定機構１６と、コンテンツが印刷された印刷面８５を前記グラス本体の外部から視認するための透明部１２と、グラス本体の内部に配置される反射鏡３０とを備えており、カード８０の印刷面８５が反射鏡で反射して透明部を通過してグラス本体の外部に至る。【選択図】図１
2020157032.tif 000002
【特許請求の範囲】
【請求項１】
上部開口を有する有底の筒状体であるグラス本体と、
前記グラス本体の側面或は底面に、絵、写真又は文字の少なくともいずれか一つのコンテンツが印刷されたカードを固定するための固定機構と、
前記コンテンツが印刷された印刷面を前記グラス本体の外部から視認するための透明部と、
前記グラス本体の内部に配置される反射鏡とを備えており、
前記印刷面が前記反射鏡で反射され、前記透明部を通過して
前記グラス本体の外部に至ることを特徴とする飲料用演出グラス。
【請求項２】
前記固定機構は前記カードが着脱可能であり且つ前記カードを複数枚重ねた状態で固定が可能なことを特徴とする請求項２に記載の飲料用演出グラス。
【請求項３】
前記カードと前記グラス本体の側面或は底面の間に伸縮性と光透過性を有するシートを備えることを特徴とする請求項１〜２のいずれか一項に記載の飲料用演出グラス。
【請求項４】
前記反射鏡の位置又は向きのいずれかを変更する事が可能なことを特徴とする請求項１〜３のいずれか一項に記載の飲料用演出グラス。
【請求項５】
前記固定機構が前記グラス本体の側面に設けられた格納部と前記格納部に前記カードを挿入するための挿入口から成るポケット機構であることを特徴とする請求項１〜４のいずれか一項に記載の飲料用演出グラス。
【請求項５】
前記反射鏡が光透過性を有しない層を少なくとも一つは備えることを特徴とする請求項１〜５のいずれか一項に記載の飲料用演出グラス。
【請求項６】
前記反射鏡が光透過性を有していることを特徴とする請求項１〜５のいずれか一項に記載の飲料用演出グラス。
【請求項７】
前記反射鏡が柔軟性を有していることを特徴とする請求項１〜５のいずれか一項に記載の飲料用演出グラス。
【請求項８】
前記反射鏡を複数備えその内少なくとも一つが前記印刷面の一部を前記上部開口の方向に向けて反射する向きに調整されていることを特徴とする請求項１〜５のいずれか一項に記載の飲料用演出グラス。
【発明の詳細な説明】
【技術分野】
【０００１】  本発明は、絵や文字、写真等が印刷されたカードによる飲料用演出グラス、紙芝居グラスに関する。
【背景技術】
【０００２】  古くから絵や文字或は写真等が印刷されたカードはトランプ等のカードゲームとして或はプロ野球等のスポーツ選手のフォトグラフィやコミックブック等の架空のキャラクターのイラストを印刷した物に代表される遊具用カードとして国内外問わず親しまれておりたくさんの収集家が存在する。また日本では昭和時代初期頃より大衆文化として広まった複数枚のイラストや絵を重ねて順次スライドさせていく紙芝居（厳密には平絵による紙芝居）という文化が存在する。
一方、飲料を入れる機能以外に様々な機能を持ったグラスが開発されている。
例えば特許文献１及び２にはグラスを持ち上げたことをセンサーで検知してグラス下部のスピーカーから様々な音を出力する技術が開示されている。
特許文献３には傾斜角度を検出する手段を備えており、グラスの傾斜角度に応じた音声を発生する技術が開示されている。
特許文献４にはグラスの内壁と外壁の間の中間層に発光片を配置し、グラスが揺動した際に発光片が発光する技術が開示されている。
特許文献５及び６にはグラスの表面に表示装置を配置し、表示装置に映す映像を手動で切り替えたり、グラスの状態を検知するモーションセンサーの出力に応じて切り替えたりする技術が開示されている。
【先行技術文献】
【特許文献】
【０００３】
【特許文献１】実公昭６２−９２７６９号公報
【特許文献２】特開平３−４５２１３号公報
【特許文献３】実公平１−８１９７０号公報
【特許文献４】実用新案登録第３０８６１４０号公報
【特許文献５】特開２００５−９９１５９号公報
【特許文献６】米国特許出願公開第２００８／０１００４６９号明細書
【特許文献７】特許第６４８８０４９号公報
【発明の概要】
【発明が解決しようとする課題】
【０００４】  しかし、上記特許文献１〜７は予めメモリ等に記録しておいた音声や映像等を出力したり、発光片を発光させたりするものであり、バリエーションに乏しく、演出効果が制限されるという問題がある。また、発光デバイスや映像表示デバイスは熱が発生するためその熱により飲料が熱せられてしまい快適な飲料行為を妨げるという問題点と映像切り替え用のＣＰＵやＩＣを別途グラスに備えなければ写真やイラストを切り替えてグラス内に投影出来ないという問題点を有する。【０００５】  本発明は上記問題に鑑み、放熱を伴う電子デバイスを一切用いずに様々な映像を素早く切り替えてグラス内に投影出来る飲料用演出グラスを提供することを課題とする。
【課題を解決するための手段】
【０００６】  本発明の飲料用演出グラスは、上部開口を有する有底の筒状体であるグラス本体と、
前記グラス本体の側面或は底面に、絵、写真又は文字の少なくともいずれか一つのコンテンツが印刷されたカードを固定するための固定機構と、前記コンテンツが印刷された印刷面を前記グラス本体の外部から視認するための透明部と、前記グラス本体の内部に配置される反射鏡とを備えており、前記印刷面が前記反射鏡で反射され、前記透明部を通過して前記グラス本体の外部に至ることを特徴とする。
また、前記固定機構は前記カードが着脱可能であり且つ前記カードを複数枚重ねた状態で固定が可能なことを特徴とする。
また、前記カードと前記グラス本体の側面或は底面の間に伸縮性と光透過性を有するシートを備えることを特徴とする。
また、前記反射鏡の位置又は向きのいずれかを変更する事が可能なことを特徴とする。
また、前前記固定機構が前記グラス本体の側面に設けられた格納部と前記格納部に前記カードを挿入するための挿入口から成るポケット機構であることを特徴とする。【０００７】  前記反射鏡が光透過性を有しない層を少なくとも一つは備えることを特徴とする。
また、前記反射鏡が光透過性を有していることを特徴とする。
また、前記反射鏡が柔軟性を有していることを特徴とする。
また、前記反射鏡を複数備えその内少なくとも一つが前記印刷面の一部を前記上部開口の方向に向けて反射する向きに調整されていることを特徴とする。
【発明の効果】
【０００８】  ユーザーお気に入りのカードの印刷面（或はカードに印刷された絵、写真、文字いずれかのコンテンツ）をグラス内の飲料内に投影出来る。グラス内の飲料がウィスキー等の琥珀色の場合、ユーザーがグラス外から視認するカードに印刷された絵や写真或は文字等のコンテンツはその飲料の色で着色されるので、グラス本体に充填する飲料の色に応じて印刷面（或はコンテンツ）が着色される演出効果を得られる。
カードを濡らす事無しにグラス内の飲料水内に紙芝居が展開でき、グラス側面或は底面にカードを固定するための固定機構を複数のカードが重ね合わせた状態（つまりスタック状態）で固定出来るようにする事により同固定機構に固定されたカードを順次抜いていく事によりグラス内部に投影するコンテンツを順次切り替える演出が可能になる。
本発明グラスは電子デバイスを一切用いないためグラス内部の飲料がその電子デバイスの放熱により熱せられる事が無く、更にホットウィスキー等の熱い飲料充填時の熱暴走の心配が無い。画像切替を制御するＩＣやＣＰＵも必要無い。
ＣＰＵやバッテリーその他電子デバイスと冷たい飲料水の温度差によりグラス表面に水滴の結露が誘発する事も防げる。【０００９】  グラス内部の反射鏡の位置或は向きのいずれかを変更する事によりユーザーは状況に応じてカードの印刷面（或はコンテンツ）の投影位置を調整或は変更出来る。
前述のカード固定機構として格納部と挿入口を用いたポケット機構を用いる事により、ユーザーはその挿入口にカードを着脱するだけでグラス本体内に投影されるコンテンツの切り替えが瞬時に出来、更にグラスから零れた飲料によりカードが濡れる事を防げる。挿入口を同ポケット機構の上部或は側部に設ける事によりグラス本体を持ち上げる事無しにカードの交換が可能になる。
グラス側面にカードを固定する際に光透過性と伸縮性を有する素材から成るシートを用いることによりカードとグラス側面の間の余分な隙間を埋める事が可能になり、これにより乾杯行為時やグラス傾斜時にもカードの固定機構に強固に保持出来、更にグラス側面の水滴の結露による反射像の投影光路の阻害及び水滴によりカードが濡れることを防止出来る。【００１０】  反射鏡として光透過性を有している鏡を用いる事により、反射鏡に反射した反射像だけでなく反射鏡を透過した透過像も同時に視認出来る様になるためグラス周囲の複数人でグラス内のカードのコンテンツの像を視認可能になる。また、グラス内の反射鏡を通常の鏡と同じく光透過性を有しない層（一般にはアルミ蒸着された層が主流）を少なくとも一つは備える鏡にする事により部屋の照明や迷光により反射像が塗りつぶされずに常時快適なコンテンツの視認が可能になる。【００１１】  反射鏡の向きを水平方向に変更することで、反射像の向きを水平方向に任意に変更出来る。また、反射鏡の向きを鉛直方向に変更することで反射像の向きを鉛直方向に任意に変更出来る。これによりユーザーはグラス側面だけでなく上部開口からも飲料越しにカードに印刷された絵や写真等のコンテンツを楽しむ事が出来る。【００１２】  反射鏡で反射した絵や写真等のコンテンツを外部から視認するための透明部に撥水加工処理を施すことによりグラス表面の水滴結露の影響を排除して鮮明なコンテンツ視認が可能になる。
前記反射鏡を複数備えることにより、ユーザーはカードに印刷されたコンテンツを分割してグラス側面とグラスの上部開口から同時に視認出来る。
【図面の簡単な説明】
【００１３】
【図１】第１の実施の形態の飲料用演出グラスを示す斜視図（ａ）及び上方断面図
【図２】固定機構としてポケット機構を採用した例の斜視図
【図３】反射鏡の角度を変化させるパターン例の上方断面図（ａ），（ｂ）と斜視図（ｃ）
【図４】ボトル型の飲料用演出グラスを示す斜視図
【図５】第２の実施の形態の飲料用演出グラスを示す斜視図（ａ）及び上方断面図
【図６】第３の実施の形態の飲料用演出グラスを示す斜視図
【発明を実施するための形態】
【００１４】［飲料用演出グラスの第１の実施の形態］
以下、本発明の飲料用演出グラスの第１の実施の形態を図面を用いて示す。
図１に示すように、飲料用演出グラス１はグラス本体１０、固定機構１６、反射鏡３０、透明部１２から概略構成される。
グラス本体１０は上部開口１１を有する有底の筒状体でありその内部に飲料等の液体Ｌを充填出来る。グラス本体１０の材質としては、一般的なグラスと同様にガラス、樹脂、陶器、磁器等が挙げられる。
固定機構１６はグラス本体１０の側面或は底面にカード８０を固定するための部材である。本実施の形態では固定機構１６としてカード８０を挿入するための挿入口２１と、カード８０を格納するための格納部２０を備える。
反射鏡３０はグラス本体１０の内部に配置され、カード８０の印刷面８５に印刷された絵、イラスト、写真、文字等のコンテンツ８１（図１ではコンテンツ８１の例としてアルファベットのＡの文字を用いている）を透明部１２の方向に反射する。反射鏡３０にて反射された印刷面８５（或はコンテンツ８１）の像８２は透明部を通過としてグラス本体の外部に至る。
透明部１２はコンテンツ８１をユーザーＵが外部から視認するためにグラス本体１０の側面に設けられる。ユーザーＵは格納部２０に格納された状態のカード８０の印刷面８５に印刷された絵やイラスト、文字、写真等のコンテンツ８１を透明部１２から視認できる。
【００１５】  カード８０と反射鏡３０の間、反射鏡３０と透明部１２の間を結ぶ光路はグラス本体１０の飲料Ｌ内を通る。飲料Ｌがウィスキー等の琥珀色の場合、ユーザーＵが透明部１２から視認する像はその飲料Ｌの色で着色されるので、グラス本体１０に充填する飲料Ｌの色に応じてその像が着色される演出効果を得られる。なお、図１（ｂ）の矢印は反射鏡３０内の光路をしめす。反射鏡３０にて反射されたカード８０の印刷面８５（或はコンテンツ８１）の像８２は透明部１２を透過する事によりユーザーＵに視認される（なお図１（ａ）ではこの透明部を透過する像８２を反射像８３と表記している）。
光の入射角と反射角は等しいという光学の基本的な物理法則により、図１（ｂ）のようにカード８０の印刷面８５と反射鏡３０のなす角、及び反射鏡３０と透明部１２のなす角の理想の角度は共に４５度と求められる。４５度にする事によりユーザーＵは歪みの無い反射像８３をグラス本体１０の側面より視認する事が出来る。図１では固定機構１６はグラス本体１０の側面に配置した例を用いて説明しているが固定機構１６が底面に有る場合は反射鏡３０をグラス底面に対して４５度傾斜させれば図１と同様に透明部１２に歪みの無い反射像８３が反射出来る。
なお、透明部１２から実際に見える反射像８３は印刷面８５が反射鏡３０に反射したものであるため左右反転（つまり鏡文字化）するため特にコンテンツ８１に文字が含まれている場合はその文字が読み難くなる問題点が有る。この解決策としては事前にコンテンツ８１の文字等を左右反転させて印刷したカードを作成しておきそれを用いると良い。
グラス本体１０の内部の氷を撹拌時にスプーンや氷が衝突し反射鏡３０が破損する恐れがあるためその防止策として反射鏡３０をフィルムミラー等の柔軟性を有する鏡を用いても良く、その他の例としては軟質ポリ塩化ビニール（ＰＶＣ）にアルミシートを張り付けた物等を用いても良い。また光の反射効率は金属シート用いたフィルムミラーに比して若干落ちるが防水性と強度に優れた釣り糸等に用いられている合成樹脂やポリエステル、ポリエチレン或は編んだ布を反射鏡３０として用いても良い。
【００１６】  反射鏡３０を用いることでカード８０をグラス本体１０の内部に配置しなくて済む。これによりカード８０の脱着をグラス本体１０の側面から容易に行える。
固定機構１６について補足しておくと本実施の形態では固定機構１６として図１や図２のように格納部２０とその格納部２０にカード８０を挿入して固定するための挿入口２１から成るポケット機構を例に挙げて説明しているが本発明グラスの固定機構１６はこれに限定される事は無く例えばバネやゴムを用いたクランプ機構やゴムや皮等のベルト機構等を固定機構１６として用いてカード８０をグラス側面或は底面に固定しても良い。なお、図２のように固定機構１６として前述のポケット機構を用いるメリットは３つ有り、１つ目はカード８０の表面と裏面の全体が図２のように格納部２０で覆われているためグラス本体１０の飲料Ｌが零れた際にカード８０が濡れるのを防止できる事、２つ目は図２のように格納部２０の挿入口２１を格納部２０の上面か側面に設ける事によりカード８０を交換する際にグラス本体１０を持ち上げる必要が無い事、３つ目は格納部２０に挿入口２１から複数のカード８０を重ねた状態（つまりスタックした状態）で挿入して固定出来るため（紙芝居と同じ原理で）それら複数のカード８０を一枚ずつ順次抜いていくだけでグラス本体１０内に投影されるコンテンツ８１の切り替えが可能な事が挙げられる。
カード８０を格納部２０に挿入する場合は図２のように透明な樹脂や透明シリコンゴム等の光透過性と伸縮性を有するシート１７をカード８０の印刷面８５に密着させた状態で格納部２０に挿入する事によりカード８０とグラス本体１０側面の間の余分な隙間をそのシート１７により埋めても良い。こうする事によりシート１７の伸縮性（或は膨張応力）により乾杯行為等でグラス傾斜時やカード８０の枚数や厚さが減少時にもカード８０を格納部２０内部に強固に保持出来る。
更にシート１７によりカード８０とグラス側面の間の空間を埋めることにより同空間から水分を含んだ空気を排除出来るため冷たい飲料Ｌに起因するグラス側面の結露による印刷面８５と反射鏡３０の間の投射光路の阻害を防止出来、同時にカード８０の印刷面８５に結露の水滴が付着する事も防止できる。なお固定機構１６として格納部２０でなく前述のクランプ機構やベルト機構等を用いる場合もカード８０とグラス本体１０側面の間をシート１７により埋めてやる事により同様の効果が得られる。
カード８０の防水性能を更に高めるために事前にカード８０に透明かつ防水性を有する素材を以てラミネート加工やパウチ加工（或は２枚の板ガラスに挟み込む加工）施した後に挿入口２１に挿入しても良い。
最後に透明部１２について補足しておくと透明部１２の表面はグラス本体１０内の冷たい飲料Ｌにより水滴の結露が発生し透明部１２を介した印刷面８５（或はコンテンツ８１）の視認を妨げる可能性が有るがこれを防ぐためには透明部１２を撥水加工処理しておくと良い。
【００１７】  グラス本体１０の内部に反射鏡３０を支持するための支持機構３１について、反射鏡３０の向きを水平方向及び／又は鉛直方向に変えられる構造を備えることにしてもよい。これにより図３（ａ），（ｂ）のように反射鏡３０とカード８０のなす角を任意に調整出来、ガラス製コップ等のようにグラス本体の側面を全て透明な素材から成る場合はユーザーＵはグラス本体１０の任意の位置から印刷面８５を視認する事が可能になる。図３（ｃ）のように上部開口１１の方向に向けてコンテンツ８１を反射するように反射鏡３０のなす角を調整すれば、反射像８３はグラス本体１０内の飲料Ｌ越しに上部開口１１を通してユーザーＵに視認される。また、支持機構３１に多軸アーム機構や高さが調整出来るネジ式のアジャスター機構を用いる事により反射鏡３０のグラス本体１０の底面或は側面からの位置を任意に調整出来るようにしても良く、この工夫により反射像８３を飲料Ｌの水面に対して平行移動させて透過させる事が可能になる。
グラス本体１０の形状としては図１に示すような取っ手１３を備えたいわゆるジョッキ型以外に、図４に示すような上部開口１１を閉めるための蓋１５を有するボトル型であってもよい。
【００１８】［飲料用演出グラスの第２の実施の形態］
以下、本発明の飲料用演出グラスの第２の実施の形態を図面を用いて示すが、上記第１の実施の形態の飲料用演出グラス１と同一の構成となる箇所については同一の符号を付してその説明を省略する。
本実施の形態の飲料用演出グラスは、図５（ａ），（ｂ）に示すように、反射鏡として光透過性を有する材質から成りその背後に入射した光の一部を透過するガラスや透明なアクリル樹脂等の材質から成る反射鏡３２を用いても良い。こうする事により図５（ｂ）のように反射鏡３２に入射したカード８０の印刷面８５（或はコンテンツ８１）の像８２はその光透過性を有する反射鏡３２を介して２つに分光され反射像８３と透過像８４になるため、グラス本体１０周囲の複数のユーザーＵがカード８０のコンテンツ８１の同時に視認可能になる。なお本実施の形態のグラスを高照度照明の環境下で用いる場合は光透過性を有する反射鏡３２の背後からその高照度光源による迷光が透過する事により反射像８３の一部或は全部をマスキングしてしまい印刷面８５が視認出来なくなる可能性が有る。その為高照度環境下ではグラス内の反射鏡３２を光透過性を有しない層（一般にはアルミ蒸着された層が主流）を少なくとも一つは備えた反射鏡（つまり通常の鏡）に置き換える等の対処が必要である。なお前述の光透過性を有しない層を着脱出来るようにして室内の照明環境の状況に応じて反射鏡の光透過性のＯＮ−ＯＦＦを切り替えられるようにしても良い。
【００１９】  ［飲料用演出グラスの第３の実施の形態］
以下、本発明の飲料用演出グラスの第３の実施の形態を図面を用いて示すが、上記第１の実施の形態の飲料用演出グラス１と同一の構成となる箇所については同一の符号を付してその説明を省略する。
本実施の形態の飲料用演出グラスは、図６に示すように反射鏡３０を２つ備えその内一つの反射鏡３０がカード８０の印刷面８５の一部をグラス本体１０の上部開口１１の方向に向けて反射する向きに調整されており、もう一方の反射鏡３０はグラス本体１０側面の方向に向けて反射する向きに調整されている。このように複数の反射鏡を用いる事により上部開口１１（より厳密には上部開口１１内の液体Ｌと空気の境界面）とグラス本体１０の側面の透明部１２の２つを介してカード８０の印刷面８５（或はコンテンツ８１）を分割して投影出来るようになる。ユーザーＵは飲料行為時に上部開口１１を覗き込んだ時とグラス側面見る時の両方でコンテンツ８１の一部を視認出来る。
【産業上の利用可能性】
【００２０】  本発明は、絵や文字、写真等が印刷されたカードによる飲料用演出グラス、紙芝居グラスに関する。電子デバイスを一切使わず紙芝居の原理でグラスの飲料内の映像を順次切り替えながら投影出来る。結露も無くクリアな映像でグラス内に紙芝居を展開出来る。以上より本発明は産業上の利用可能性を有する。
【符号の説明】
【００２１】Ｌ  液体（飲料）
Ｕ  ユーザー
１  飲料用演出グラス
１０  グラス本体
１１  上部開口
１２  透明部
１３  取っ手（透明）
１５  蓋
１６  固定機構
１７  シート（透明、伸縮性有り）
２０  格納部（ポケット機構）
２１  挿入口（ポケット機構）
３０  反射鏡
３１  支持機構
３２  反射鏡（光透過性有り）
４０  光遮蔽層
８０  カード
８１  コンテンツ
８２  像
８３  反射像
８４  透過像
８５  印刷面
【図１】
2020157032.tif 000003
【図２】
2020157032.tif 000004
【図３】
2020157032.tif 000005
【図４】
2020157032.tif 000006
【図５】
2020157032.tif 000007
【図６】
2020157032.tif 000008
【手続補正書】
【提出日】令和1年5月16日(2019.5.16)
【手続補正２】
【補正対象書類名】特許請求の範囲
【補正対象項目名】全文
【補正方法】変更
【補正の内容】
【特許請求の範囲】
【請求項１】
上部開口を有する有底の筒状体であるグラス本体と、
前記グラス本体の側面或は底面に、絵、写真又は文字の少なくともいずれか一つのコンテンツが印刷されたカードを固定するための固定機構と、
前記コンテンツが印刷された印刷面を前記グラス本体の外部から視認するための透明部と、
前記グラス本体の内部に配置される反射鏡とを備えており、
前記印刷面が前記反射鏡で反射され、前記透明部を通過して
前記グラス本体の外部に至ることを特徴とする飲料用演出グラス。
【請求項２】
前記固定機構は前記カードが着脱可能であり且つ前記カードを複数枚重ねた状態で固定が可能なことを特徴とする請求項１に記載の飲料用演出グラス。
【請求項３】
前記カードと前記グラス本体の側面或は底面の間に伸縮性と光透過性を有するシートを備えることを特徴とする請求項１〜２のいずれか一項に記載の飲料用演出グラス。
【請求項４】
前記反射鏡の位置又は向きのいずれかを変更する事が可能なことを特徴とする請求項１〜３のいずれか一項に記載の飲料用演出グラス。
【請求項５】
前記固定機構が前記グラス本体の側面に設けられた格納部と前記格納部に前記カードを挿入するための挿入口から成るポケット機構であることを特徴とする請求項１〜４のいずれか一項に記載の飲料用演出グラス。
【請求項６】
前記反射鏡が光透過性を有しない層を少なくとも一つは備えることを特徴とする請求項１〜５のいずれか一項に記載の飲料用演出グラス。
【請求項７】
前記反射鏡が光透過性を有していることを特徴とする請求項１〜５のいずれか一項に記載の飲料用演出グラス。
【請求項８】
前記反射鏡が柔軟性を有していることを特徴とする請求項１〜５のいずれか一項に記載の飲料用演出グラス。
【請求項９】
前記反射鏡を複数備えその内少なくとも一つが前記印刷面の一部を前記上部開口の方向に向けて反射する向きに調整されていることを特徴とする請求項１〜５のいずれか一項に記載の飲料用演出グラス。